(57)【特許請求の範囲】
【請求項１】
陳列装置に取り付くベース体に、商品を吊り下げる棒状の下段フック体とカード類を装着するための棒状の上段フック体とが平行に延びるように一体に設けられており、前記上段フック体は水平部の先端に上向き部が折り曲げ形成された形態である、
という２段式棒状フック装置の前記上段フック体に取り付けられるカード類表示具であって、
前記上段フック体の水平部と上向き部を左右から挟む左右の側板を有することで前記上段フック体に回転不能に保持される本体部を備えており、この本体部に、前記上段フック体の水平部に下方から当たる前後の下ストッパー部と、前記前後の下ストッパーの間において前記上段フック体の水平部に上方から当たる上ストッパー部とが、それら上下ストッパーで前記本体の左右側板を連結した状態に設けられており、前記上ストッパー部と前後両下ストッパー部との間に前記上段フック体の上向き部と水平部とを差し込み可能な間隔を空けることにより、前記上ストッパー部と下ストッパー部との間の部位を前記上段フック体の先端より嵌め入れて奥側にスライドさせ得るようになっており、
更に、前記本体部の先端部には、カード類を装着できる表示部が一体に又は別部材として設けられている、
商品陳列用２段式棒状フック装置に使用するカード類表示具。
【請求項２】
前記表示部は前記本体部とは別部材のカードケースになっており、前記カードケースを、本体部に対して跳ね上げ回動自在及び水平姿勢変更自在に取付けている、
請求項１に記載した商品陳列用２段式棒状フック装置に使用するカード類表示具。
【発明の詳細な説明】
【技術分野】
【０００１】
本願発明は、一般に十手フックと呼ばれている商品陳列用の２段式棒状フック装置に使用されるカード類表示具に関するものである。
【背景技術】
【０００２】
十手フックやシングルフックと俗称されているフック装置は、各種の店舗において吊り下げ式の商品の陳列に多用されている。このうち十手フックは上段フック体をプライスカードの取り付けに使用するものであり、上段フック体の先端は上向きに折り曲げられた垂直部になっていて、この垂直部を利用して合成樹脂製等のカードケースを取付けている。
【０００３】
そして、従来は、カードケースは表示面が固定的であって顧客が通路を通行しながら内容を視認しにくい場合があるという問題があった。これに対して特許文献１には、表示面の姿勢を変更できるように平面視での姿勢を簡単に変え得る状態で上段のフックに取付けできるプライスカードが提案されており、この特許文献１の実施物は広く市場に出回っている。
【０００４】
【特許文献１】特開平１１−２０６５２４号公報
【発明の開示】
【発明が解決しようとする課題】
【０００５】
【０００６】
十手フックにおける上段フック体に取り付けるカード類表示具については、例えば、前後位置を変更可能な状態にして欲しいという要望があるが、この要望に応える場合は、単なる上方からの嵌め込み式の場合は前端に上向き力が掛かると外れてしまうという問題があり、そこで、この場合も、容易に取付けできてしかも上方又は下方からの外力が掛かっても外れない構造にせねばならない。
【０００７】
本願発明はこのような実情に鑑み成されたものであり、十手フックに取り付けるカード類表示具において、取付けが容易でありながら高い保持力を発揮できる構造を実現せんとするものである。
【課題を解決するための手段】
【０００８】
本願発明のカード類表示具は、「陳列装置に取り付くベース体に、商品を吊り下げる棒状の下段フック体とカード類を装着するための棒状の上段フック体とが平行に延びるように一体に設けられており、前記上段フック体は水平部の先端に上向き部が折り曲げ形成された形態である」、という２段式フック装置（十手フック）の前記上段フック体に取り付けられるものを対象にしている。
【０００９】
そして、この２段式棒状フック装置用のカード類表示具は、請求項１では、「前記上段フック体の水平部と上向き部を左右から挟む左右の側板を有することで前記上段フック体に回転不能に保持される本体部を備えており、この本体部に、前記上段フック体の水平部に下方から当たる前後の下ストッパー部と、前記前後の下ストッパーの間において前記上段フック体の水平部に上方から当たる上ストッパー部とが、それら上下ストッパーで前記本体の左右側板を連結した状態に設けられており、前記上ストッパー部と前後両下ストッパー部との間に前記上段フック体の上向き部と水平部とを差し込み可能な間隔を空けることにより、前記上ストッパー部と下ストッパー部との間の部位を前記上段フック体の先端より嵌め入れて奥側にスライドさせ得るようになっており、更に、前記本体部の先端部には、カード類を装着できる表示部が一体に又は別部材として設けられている」、という構成になっている。
【００１０】
【００１１】
【００１２】
【００１３】
本願発明は更に、請求項２のとおり、「前記表示部は前記本体部とは別部材のカードケースになっており、前記カードケースを、本体部に対して跳ね上げ回動自在及び水平姿勢変更自在に取付けている」、という構成も含んでいる。
【発明の効果】
【００１４】
本願発明では、カード類表示具を十手式フック装置の上段フック体に取り付けるにおいては、例えばカード類表示具を表示部が上になるように大きく起こした姿勢にすることにより、上ストッパー部と下ストッパー部との間の部分を上段フック体の先端に嵌め入れて、それから姿勢を本来の姿勢に戻すという手順を採れば良い。
【００１５】
すなわち、本願発明のカード類表示具は上段フック体にその先端から嵌め入れて奥側にスライドさせて取り付けるという点に特徴があり、このような方法で取付けられることにより、部材を強引に変形させるようなことをしなくても容易に取り付けできるのであり、しかも、取り付けた後においては、上下ストッパーの支持作用により、カード類表示具は下向きの外力が掛かってもカード類表示具が外れることを防止できる。
【００１６】
従って、本願発明では、十手式のフック装置に取り付けるカード類表示具において、取付けの容易性と取付け後の外れ防止機能とを同時に達成できるのである。特に、上ストッパー部を挟んだ前後に下ストッパー部を設けて三点支持の状態になっていることにより、カード類表示具は、下向きの外力と上向きの外力との両方に対して抗して姿勢が保持されるため、特に好適である。また、実施形態のように上段フック体の上向き部に係合する位置決め手段を設けると、フック装置の寸法の違いに対応できると共に、カード類の前後位置を変えることも簡単に行えて好適である。
【００１７】
【００１８】
【００１９】
【００２０】
【００２１】
ところで、十手式のフック装置にしてもシングル式のフック装置にしても、店舗では、商品が吊り下げられているフック体の先端に人の身体（特に顔）が当たって怪我することが懸念されている。この点、請求項２のように構成すると、表示部を商品吊り下げ用フック体の手前に配置することにより、表示部を商品用フック体に対する保護部材として機能させることができ、しかも、表示部は跳ね上げ式であるため商品の出し入れには支障はない。また、請求項３の構成では、特許文献１と同様に表示部を顧客の流れに応じて視認効果が高い姿勢に変えることができる利点もある。
【発明を実施するための最良の形態】
【００２２】
次に、本発明の実施形態を図面に基づいて説明する。図１のうち（Ａ）は平面図、（Ｂ）は側面図、（Ｃ）は（Ｂ）のＣ−Ｃ視断面図、図２は図１（Ａ）の II-II視断面図、図３は取付けの手順を示す断面図である。
【００２３】
(1).フック装置
フック装置は従来から広く知られている市販品であり、側面視下向き開口コ字状のベース体１と、商品を吊り下げる棒状の下段フック体２と、カード類保持用の上段フック体３とから成っている。上下のフック体２，３は１本の丸線材から成っていて鉛直姿勢の後端部４を介して一連に繋がっており、下段フック体２の後端部がベース体１の上面に溶接によって固着されている。
【００２４】
下段フック体２の先端部は緩い角度（水平に対して３０°程度）の傾斜部２ａになっており、他方、上段フック体３は水平部を備えていてその先端には上向き３ａが形成されている。本実施形態の上向き部３ａは鉛直姿勢になっているが、傾斜姿勢になっている場合もある。ベース体１は、陳列装置の角パイプ製横バー５に上方から嵌まっている。ネット式の陳列棚もあり、この場合は、上段フック体３と下段フック体２とを繋ぐ後端部４がベース体の前面に溶接されている。
【００２５】
(2).カード類表示具の本体部
本願発明を具体化したカード類表示具１１は、上段フック体３に装着される樹脂製の本体部１２と、本体部１２に着脱自在な樹脂製のカードケース１３とからなっている。カードケース１３は請求項１に記載した表示部の一例である。
【００２６】
本体部１２は上段フック体３の左右両側に位置する一対の側板１２ａを備えており、左右の側板１２ａで上段フック体３の上向き部３ａを左右から挟むことにより、本体部１２が上段フック体３の軸心回りに回転することが阻止されている。また、左右側板１２ａの後部には上段フック体３における水平部の下面に当たる第１下ストッパー部１４が一体に繋がっており、また、左右側板１２ａは、第１下ストッパー部１４のやや手前に位置したブリッジ状の上ストッパー部１５によっても一体に連結されており、更に、左右側板１２ａの下端は、上ストッパー部１５よりもやや手前の部位に位置した第２下ストッパー部１６によっても一体に繋がっている。
【００２７】
本体部１２は、第１下ストッパー部１４の箇所で上向きに開口した樋状になっている。そして、第１下ストッパー部１４が上ストッパー部１５よりも奥側に位置しているため、カード類表示具１１はその先端部に下向きの外力が掛かっても脱落不能に保持される。第１下ストッパー部１４と上ストッパー部１５との間には、上段フック体３を差し込みできる程度の間隔（空間）が空いている。第１下ストッパー部１４と第２下ストッパー部１６との間の部位は下向きに開口した切欠き１２ｃになっている。これは、射出成形法によって製造するに際しての上ストッパー部１５の型抜きのためのものであり、型抜きの容易性を犠牲にすれば、第１下ストッパー部１４と第２下ストッパー部１６を連続させることも可能である。
【００２８】
第２下ストッパー部１６は、主として上向きの外力でカード類表示具１１が跳ね上がることを防止するためのものであり、いわば補助的なものであるので、第２下ストッパー部１６は、開口溝を挟んだ左右に分断して爪状に形成することも可能である。
【００２９】
本体１２は前後方向に長く延びており、このため、上ストッパー部１５の手前側において左右の側板１２ａは前後に長く延びている。そして、左右側板１２ａの内面に、上段フック体３の上向き部３ａに係合する内向き突起１７の対を前後適宜間隔で設けている。このため、カード類表示具１１の前後位置を段階的に調節することができる。位置決め手段としては突起１７に変えて溝（或いは平面視波形等の凹凸）を形成することも可能である。
【００３０】
フック装置は、メーカーにより、上段フック体３の先端と下段フック体２の先端との間隔が異なるため、本実施形態のようにカード類表示具１１の前後位置を段階的に調節できる構成にすると、カードケース１３を常に下段フック体２の先端部近傍に位置させることができて好適である。いうまでもないが、カード類表示具１１は、ある程度の力をかけて押し引きすると、左右側板１２ａが撓み変形して前後位置を調節できる。
【００３１】
本実施形態では本体部１２の側板１２ａは下向きに大きく抉られた形状になっており、このため上段フック体３の先端部は上向き部３ａの上端部を除いて広い範囲で露出している。これは、取付けの容易性や樹脂の節約等のためであり、図１（Ｂ）に二点差線１８で示すように、本体部１２の下面を水平状に延びる形態に形成することも可能である。
【００３２】
また、図２に一点鎖線で示すように、左右の側板１２ａを天板部１２ｄで一体に繋ぐことも可能であり、このように天板部１２ｄを設けると本体部１２は全体の剛性を向上できる（剛性強化手段としては、一点鎖線１８で示す部位に底板を形成することも可能であり、この場合は、底板は第２下ストッパー部１６と一体に連続させても良い。）。
【００３３】
左右側板１２ａの前端には前壁１９が一体に繋がっており、この前壁１９に、カードケース１３を取り付けるための上挟持部２０と下挟持部２１とが一体に繋がっている。上挟持部２０は円板形状であって前壁１９とは細幅のブリッジ部２２を介して繋がっている。このため、上挟持部２０は弾性に抗して上向きに起こすことができる。
【００３４】
下挟持部２１は基本的にはリング状の形態を成しており、かつ、図１（Ａ）から理解できるように、上挟持部２０の外側に広がっている。これは、本体部１１を射出成形法で製造するに際していわゆる抜き違いによって上下挟持部２０，２１を成形するための措置である。下挟持部２１の外周面は下広がりのテーパ状になっている。
【００３５】
(3).カードケースの取付け構造
カードケース１３は、プライスカードのようなカード類（図示せず）を挟む裏板２３と表板２４とを備えており、裏板２３の裏面に左右一対のブラケット２５を設け、左右ブラケット２５に、上下挟持部２０，２１の間に入り込む水平姿勢の支軸２６が一体に形成されている。左右ブラケット２５の間隔は、下挟持部２１の外径よりも僅かに大きい寸法である。また、ブラケット２５の幅寸法は上下挟持部２０，２１の上下間隔よりも大きい寸法であり、このため、支軸２６が上下挟持部２０，２１の間から軸方向に抜け出ることはない。
【００３６】
本体部１２における下挟持部２１の上面には、支軸２６が嵌まる凹溝２７を形成している。この場合、凹溝２７は、平面視で上段フック体３と直交した姿勢のものと、上段フック体３の軸線に対して右に傾斜したものと、上段フック体３の軸線に対して左に傾斜したものとの３本を形成しており、このため、カードケース１３の表示面は、上段フック体３と正面から対向した姿勢と右に傾いた姿勢と左に傾いた姿勢との３つの姿勢に変更することができる。傾斜姿勢は３０°程度に設定している。
【００３７】
カードケース１３の支軸２６は、上下挟持部２０，２１の弾性変形を利用して凹溝２７に嵌め込むことができ、また、上下挟持部２０，２１の弾性変形を利用してカードケース１３の平面視姿勢を変えることができる。本実施形態では、一つの特徴として、カードケース１３の支軸２６が凹溝２７に嵌まった状態では上下挟持部２０，２１の弾性復元力は作用しておらず、従って、カードケース１３は摩擦抵抗を全く感じることなく支軸２６を中心にして上向きに跳ね上げ回動させることができる。
【００３８】
このため、カードケース１３を下段フック体２の手前部に位置させておいても、商品の出し入れには全く支障はない。図２に示すように、カードケース１３を跳ね上げると、カードケース１３の上端面が本体部１１の前壁１９に当たるように設定している。買い物客がカードケース１３を跳ね上げて商品を取り出す場合は、カードケース１３が跳ね上がったままにならないように、自重で戻るように、跳ね上げ切った状態で重心が支軸２６の手間に位置するように設定しておくのが望ましい。
【００３９】
他方、店員が商品を下段フック体２に補給するに際してカードケース１３が邪魔になる場合は、カードケース１３は跳ね上げきった状態に保持されているのが好ましい。この点については、前壁１９とカードケース１３、或いは支軸２６と上下挟持部２０，２１等に、弾性に抗しての変形によって跳ね上げ状態が保持される係合手段を設けておいたら良い。
【００４０】
図２に一点鎖線で示すように、ブリッジ部２２の下面に、上挟持部２０の下面よりも下向きに下がった段部２２ａを形成して、支軸２６を押し込むに際してのストッパー部と成すことも可能である。この場合は、ブリッジ部２２は上面も段落ちさせて撓み変形を容易ならしめるのが好ましい。なお、ブリッジ部２２は、上挟持部２０より薄くしても良いのである。
【００４１】
本実施形態では、カードケース１３の裏板２３と表板２４とは別部材に構成しており、爪２８を利用して表板２４を裏板２３に取付けている。勿論、カードケース１３は様々の構造を採用できる。例えば、表板２４を蝶番式にして裏板２３に一体化したり、或いは、裏板２３と表板２４とを側面視Ｕ字状に連続させて両者の間にカード類を差し込むようにしたり、或いは、表板２４を無くして裏板２３の前面にカード類を貼り付けるといったことも可能である。
【００４２】
(4).取付けの手順・まとめ
カード類表示具１１を上段フック体３に取り付けるのは、図３に示す手順で行う。すなわち、白抜き矢印で示すように、先ず、カード類表示具１１を第１下ストッパー部１４が下向きとなるように略鉛直状の姿勢にして第１下ストッパー部１４と上ストッパー部１５との間の部分を上段フック体３の上向き部３ａに上方から嵌め入れ、次いで、上ストッパー部１５を上段フック体３のカーブに沿って滑らせるようにしてカード類表示具１１の姿勢を水平状に変えて行き、それから奥にスライドさせるのである。
【００４３】
カード類表示具１１が水平姿勢になると左右の側板１２ａで上段フック体３の上向き部３ａが左右から挟まれるため、カード類表示具１１は上段フック体３の軸心回りに回転することはなく、安定した姿勢に保持される。取り外しは逆の手順で行われる。
【００４４】
図２に示すように、カードケース１３は下段フック体２の手前に配置できるため、カードケース１３を下段フック体２に対する保護部材として機能させることができ、このため、人が誤って下段フック体２の先端に顔を当てるような事故を防止できる。上ストッパー部１５の先端と下段フック体２の先端との間隔寸法はメーカーによって違いがあるが、本実施形態のようにカード類表示具１１を前後位置調節できる構成にすると、寸法の違いを吸収してカードケース１３を常に下段フック体２の手前部に配置できる利点がある。
【００４５】
本実施形態では、図２に示すように、カードケース１３における裏板２３が下挟持部２１のテーパ状外周面に当たるように設定している。このため、カードケース１３はその表示面が鉛直に対してやや後傾した姿勢に安定的に保持される。また、カードケース１３の水平姿勢を変えるに際しては裏板２３が下挟持部２１の外周面に当たって周回するため、支軸２６を凹溝２７に嵌め変えて姿勢変更することがスムースに行われる。
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
(5).その他
本願発明は上記の実施形態の他にも様々に具体化できる。例えば、表示部として本体部とは別部材のカードケースを設ける必然性はないのであり、本体部に表示部を一体成形することも可能である。また、本体部とは別部材のカードケースを使用する場合、カードケースの形態や取付け構造には限定がないことはいうまでもない。
【図面の簡単な説明】
【００６６】
【図１】第１実施形態の構造を示す図で、（Ａ）は平面図、（Ｂ）は側面図、（Ｃ）は（Ｂ）のＣ−Ｃ視断面図である。
【図２】図１（Ａ）の II-II視断面図である。
【図３】第１実施形態の取付けの手順を示す断面図である。
【符号の説明】
【００６７】
１  フック装置のベース体
２  下段フック体
３  上段フック体
３ａ  上向き部
１１  十手式用のカード類表示具
１２  本体部
１２ａ  側板
１３  カードケース
１４  下ストッパー部
１５  上ストッパー部
２０，２１  カードケースを保持するための挟持部
【図１】
0005231764.tif 000002
【図２】
0005231764.tif 000003
【図３】
0005231764.tif 000004